【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  遊技動作を行う複数の作動部を作動制御する複数のサブ制御部と、それら複数のサブ制御部を全体的に制御する主制御部を備えており、該主制御部が送信した制御コマンドを該複数のサブ制御部が直接的乃至は間接的に受信し、該複数のサブ制御部が該制御コマンドに基づいて該複数の作動部を作動制御するようにした遊技機において、
一つのサブ制御基板を用いて、該サブ制御基板上に前記複数のサブ制御部を設けると共に、前記主制御部が送信した前記制御コマンドを受信し且つ該制御コマンドに基づくサブ制御コマンドを該サブ制御部に送信する通信制御部を該サブ制御基板上に一つ設け、更に、それら複数のサブ制御部および通信制御部の間で作動を同期させるための相互通信手段を設けたことを特徴とする遊技機。
【手続補正２】
【補正対象書類名】明細書
【補正対象項目名】０００９
【補正方法】変更
【補正の内容】
【０００９】
本発明の特徴とするところは、遊技動作を行う複数の作動部を作動制御する複数のサブ制御部と、それら複数のサブ制御部を全体的に制御する主制御部を備えており、該主制御部が送信した制御コマンドを該複数のサブ制御部が直接的乃至は間接的に受信し、該複数のサブ制御部が該制御コマンドに基づいて該複数の作動部を作動制御するようにした遊技機において、一つのサブ制御基板を用いて、該サブ制御基板上に前記複数のサブ制御部を設けると共に、前記主制御部が送信した前記制御コマンドを受信し且つ該制御コマンドに基づくサブ制御コマンドを該サブ制御部に送信する通信制御部を該サブ制御基板上に一つ設け、更に、それら複数のサブ制御部および通信制御部の間で作動を同期させるための相互通信手段を設けたことにある。
【手続補正３】
【補正対象書類名】明細書
【補正対象項目名】００１０
【補正方法】変更
【補正の内容】
【００１０】
このような本発明に従う構造とされた遊技機においては、一つのサブ制御基板上に通信制御部と複数のサブ制御部が形成されていることから、通信制御部と複数のサブ制御部との間でのコマンドのやりとりをサブ制御基板に形成されたプリント配線のみで行うことが可能となり、それによって、通信制御部と複数のサブ制御部との間でやりとりされるコマンドにノイズをのりにくくすることが可能となり、遊技機の遊技動作の安定化を図ることが可能となる。
【手続補正４】
【補正対象書類名】明細書
【補正対象項目名】００１１
【補正方法】変更
【補正の内容】
【００１１】
また、本発明における遊技機においては、通信制御部と複数のサブ制御部が一つのサブ制御基板に形成されていることから、遊技機において必要とされる基板枚数を少なくすることが可能となり、それによって、遊技機の製造コストを抑えることが可能となる。更に、通信制御部と複数のサブ制御部の取扱性および遊技機への組付け作業性を向上することが可能となる。
【手続補正５】
【補正対象書類名】明細書
【補正対象項目名】００１２
【補正方法】変更
【補正の内容】
【００１２】
また、本発明においては、主制御部は、通信制御部のみに制御コマンドを送信するようになっていることから、例えば、複数のサブ制御部に共通の制御コマンドがある場合には、主制御部が、かかる共通の制御コマンドを通信制御部に送信し、通信制御部が各サブ制御部に対してかかる共通の制御コマンドに基づくサブ制御コマンドを送信することが可能となり、それによって、主制御部の制御コマンド送信に対する負担を軽減することが可能となる。
【手続補正６】
【補正対象書類名】明細書
【補正対象項目名】００１３
【補正方法】変更
【補正の内容】
【００１３】
さらに、本発明においては、複数のサブ制御部および通信制御部の間で作動を同期させるための相互通信手段が設けられていることから、複数のサブ制御部による複数の作動部の作動制御を略同時に開始することが可能となる。
【手続補正７】
【補正対象書類名】明細書
【補正対象項目名】００１４
【補正方法】変更
【補正の内容】
【００１４】
なお、本発明における作動部とは、遊技を盛り上げるための演出の用に供されるものや遊技状況を報知するために利用されるものをいい、例えば、遊技を盛り上げるための効果音を出力するスピーカ，遊技状況を報知する画像や遊技を盛り上げる画像を表示する特別図柄表示装置および普通図柄表示装置，ガラス枠内や遊技盤上等に配設されて遊技状況を報知するために、或いは、遊技を盛り上げるために発光せしめられるＬＥＤ，遊技盤上に設けられて遊技を盛り上げるための動作を行う装飾役物等がある。そこにおいて、本発明に係る遊技機では、例えば、効果音を出力するスピーカと画像を表示する特別図柄表示装置のように、互いに異なる作動を行うものは、それぞれが一つの作動部を構成するものとする。従って、ガラス枠内や遊技盤上等に配設されたＬＥＤが複数あったとしても、それら複数のＬＥＤは、発光という互いに同じ作動を行うことから、それら複数のＬＥＤによって一つの作動部が構成されることとなる。
【手続補正８】
【補正対象書類名】明細書
【補正対象項目名】００１５
【補正方法】変更
【補正の内容】
【００１５】
また、本発明におけるサブ制御部とは、遊技を盛り上げるために、或いは、遊技状況を報知するために、作動部を作動制御するものをいい、例えば、スピーカからの効果音の出力を制御する音制御部，ガラス枠内や遊技盤上等に配設されたＬＥＤの発光を制御する発光制御部，特別図柄表示装置や普通図柄表示装置における画像の表示を制御する表示制御部，遊技盤上に配設された装飾役物の作動を制御する役物制御部等がある。そこにおいて、本発明に係る遊技機では、例えば、スピーカからの効果音の出力と特別図柄表示装置における画像の表示のように、互いに異なる作動部の作動制御は、互いに異なるサブ制御部で行うものとされている。従って、本発明においては、一つの作動部を作動制御する制御装置が、一つのサブ制御部とされている。
【手続補正９】
【補正対象書類名】明細書
【補正対象項目名】００１６
【補正方法】変更
【補正の内容】
【００１６】
さらに、本発明におけるサブ制御部は、制御ＣＰＵと主制御部からの制御コマンドに基づいて制御ＣＰＵに一つの作動部の作動制御を行わせる制御プログラムや制御データ等が記憶されたＲＯＭを含んで構成されている。更にまた、本発明における複数のサブ制御部は、それぞれ、一つの制御ＣＰＵを備えていても良いが、複数のサブ制御部で共通の制御ＣＰＵを備えていても良い。また、複数のサブ制御部は、それぞれ、制御プログラムや制御データ等が記憶されたＲＯＭを一つ備えていても良いし、或いは、複数のサブ制御部で共通のＲＯＭを備えており、かかる共通のＲＯＭに設けられた異なる記憶エリアに各サブ制御部の制御プログラムや制御データ等が記憶されていても良い。そこにおいて、複数のサブ制御部が共通の制御ＣＰＵとＲＯＭを備えている場合には、一つのサブ制御部によって複数の作動部が作動制御されているかのような外観構成を呈するが、制御プログラムや制御データ等が異なっている限り、一つのサブ制御部によって一つの作動部が作動制御されているのである。
【手続補正１０】
【補正対象書類名】明細書
【補正対象項目名】００１７
【補正方法】変更
【補正の内容】
【００１７】
更にまた、本発明における「制御コマンドに基づくサブ制御コマンド」とは、主制御部から送信された制御コマンドそのものであっても良いし、主制御部から送信された制御コマンドに対して通信制御部が読み替えや変換，複製等の処理を施したコマンドであっても良い。更に、本発明における制御コマンドには、複数のサブ制御部の何れのサブ制御部に送信されたものであるかを示す宛先識別情報が付されていることが望ましく、それによって、通信制御部のサブ制御部へのサブ制御コマンド送信を有利に実現することが出来る。なお、かかる宛先識別情報は、例えば、主制御部からの制御コマンドの特定のビットを利用すること等によって有利に実現することが出来る。更にまた、本発明における制御コマンドは、複数のサブ制御部に共通の制御コマンドであっても良いし、特定のサブ制御部に対する制御コマンドであっても良い。
【手続補正１１】
【補正対象書類名】明細書
【補正対象項目名】００１８
【補正方法】変更
【補正の内容】
【００１８】
更にまた、本発明における通信制御部は、例えば、ゲートアレイ等の制御ＩＣで構成されていても良いし、或いは、主制御部からの制御コマンドに付された宛先識別情報を読み取り、かかる宛先識別情報に基づいて、サブ制御コマンドをサブ制御部に送信する制御プログラム等が記憶されたＲＯＭとかかる制御プログラム等に基づく作動制御を行う制御ＣＰＵを含んで構成されていても良い。
【手続補正１２】
【補正対象書類名】明細書
【補正対象項目名】００１９
【補正方法】変更
【補正の内容】
【００１９】
ところで、本発明に係る遊技機においては、前記相互通信手段が、少なくとも二つの前記サブ制御部の間でコマンド送信を行うことによって構成された態様が、好適に採用される。このような本態様に従う構造とされた遊技機においては、少なくとも二つのサブ制御部の間で、作動部を作動制御する準備が完了したことを知らせる準備完了コマンドや作動部の作動制御を開始したことを知らせる制御開始コマンドを送信することが出来るのである。
【手続補正１３】
【補正対象書類名】明細書
【補正対象項目名】００２２
【補正方法】変更
【補正の内容】
【００２２】
さらに、本発明に係る遊技機においては、前記相互通信手段が、少なくとも一つの前記サブ制御部と前記通信制御部との間でコマンド送信を行うことによって構成された態様が、好適に採用される。このような本態様に従う構造とされた遊技機においては、例えば、サブ制御部が通信制御部に作動部の作動制御を開始する準備が完了したことを知らせる準備完了コマンドを送信することが出来るのであり、また、通信制御部が準備完了コマンドを受信した後サブ制御部に対して作動部の作動制御を開始させる制御開始コマンドを送信することが出来るのである。
【手続補正１４】
【補正対象書類名】明細書
【補正対象項目名】００２４
【補正方法】変更
【補正の内容】
【００２４】
また、本発明に係る遊技機においては、前記通信制御部が、前記サブ制御部の少なくとも一つと共通のＣＰＵを備えた態様が、好適に採用される。このような本態様に従う構造とされた遊技機においては、通信制御部がサブ制御部と共通のＣＰＵを備えていることから、サブ制御基板に実装されるＣＰＵの数を減らすことが可能となり、それによって、遊技機の製造コストを抑えることが出来るのである。